(57)【要約】  表示制御装置（７）は、複数の楽曲の噪音成分を検出する噪音検出部（７１）と、噪音検出部（７１）の検出結果を表示部（５）に表示させる表示制御部（７２）と、を備え、表示制御部（７２）は、噪音成分の検出結果を複数の楽曲のそれぞれの時間情報と関連付けて表示させる結果表示部（７２１）と、複数の楽曲のうち１の楽曲の所定区間の選択操作を検出する選択検出部（７２２）と、選択された区間における噪音成分の検出結果に応じ、１の楽曲以外の検出結果の表示状態を変更する表示変更部（７２３）とを備えている。
2016208002.tif 000002
【特許請求の範囲】
【請求項１】
複数の楽曲の噪音成分を検出する噪音検出部と、
前記噪音検出部の検出結果を表示部に表示させる表示制御部と、を備え、
前記表示制御部は、
前記検出結果を前記複数の楽曲のそれぞれの時間情報と関連付けて表示させる結果表示部と、
前記複数の楽曲のうち１の楽曲の所定区間の選択操作を検出する選択検出部と、
前記選択された区間における前記噪音成分の検出結果に応じ、前記１の楽曲以外の前記検出結果の表示状態を変更する表示変更部と、を備えていることを特徴とする表示制御装置。
【請求項２】
前記表示変更部は、前記表示状態を変更する処理として、前記１の楽曲以外の所定区間と前記選択された区間とのミキシングの相性を表す相性情報を表示させる処理を行うことを特徴とする請求項１に記載の表示制御装置。
【請求項３】
前記噪音検出部は、
前記楽曲の所定区間に含まれる噪音成分を検出する成分検出部と、
前記所定区間に前記噪音成分が含まれる比率を算出する比率算出部を備え、
前記表示変更部は、
前記選択された区間の前記比率が閾値未満の場合、前記１の楽曲以外における前記比率が前記閾値以上の区間と前記選択された区間とのミキシングの相性が良いことを表す前記相性情報を表示させることを特徴とする請求項２に記載の表示制御装置。
【請求項４】
前記噪音検出部は、
前記楽曲の所定区間に含まれる噪音成分を検出する成分検出部と、
前記所定区間に前記噪音成分が含まれる比率を算出する比率算出部と、を備え、
前記表示変更部は、
前記選択された区間の前記比率が閾値以上の場合、前記１の楽曲以外における全ての区間と前記選択された区間とのミキシングの相性が良いことを表す前記相性情報を表示させることを特徴とする請求項２または請求項３に記載の表示制御装置。
【請求項５】
前記結果表示部は、前記複数の楽曲の各区間に前記噪音成分が含まれる比率が前記閾値以上か否かを表す音成分情報を表示させ、
前記表示変更部は、前記音成分情報と重ならない位置に前記相性情報を表示させることを特徴とする請求項３または請求項４に記載の表示制御装置。
【請求項６】
表示制御装置が、楽曲の音成分に関する情報を表示部に表示させる表示制御方法であって、
前記表示制御装置が、
複数の楽曲の噪音成分を検出する噪音検出ステップと、
前記噪音検出ステップの検出結果を前記複数の楽曲のそれぞれの時間情報と関連付けて前記表示部に表示させる結果表示ステップと、
前記複数の楽曲のうち１の楽曲の所定区間の選択操作を検出する選択検出ステップと、
前記選択された区間における前記噪音成分の検出結果に応じて、前記１の楽曲以外の前記検出結果の表示状態を変更する表示変更ステップと、を実行することを特徴とする表示制御方法。
【請求項７】
請求項６に記載の表示制御方法を表示制御装置に実行させることを特徴とする表示制御プログラム。
【発明の詳細な説明】
【技術分野】
【０００１】
本発明は、表示制御装置、表示制御方法および表示制御プログラムに関する。
【背景技術】
【０００２】
従来、再生中の先行曲を後続曲に切り替える構成が知られている（例えば、特許文献１参照）。
この特許文献１に記載の構成では、音楽プレーヤが先行曲から後続曲にクロスフェードさせて切り換える場合、先行曲のフェードアウトを開始する位置の直前の拍位置Ｘを取得するとともに、後続曲のフェードインを完了する位置の直後の拍位置Ｙを取得する。そして、音楽プレーヤは、拍位置Ｘと拍位置Ｙとが一致するように、先行曲の再生中に後続曲の再生開始を前倒しで行うことで、ユーザが曲のリズムに乗って運動等を行っているときでも、その運動等のリズムを崩さずに、曲を切り換えて再生することができる。
【先行技術文献】
【特許文献】
【０００３】
【特許文献１】特開２００８−２４２２８７号公報
【発明の概要】
【発明が解決しようとする課題】
【０００４】
ところで、上述のようなクロスフェードは、ＤＪパフォーマンスにおいて行われるミキシングの一手法であり、この場合、特許文献１に記載のような処理を用いることが考えられる。
しかしながら、特許文献１に記載のような処理では、先行曲と後続曲の拍位置を一致させるだけのため、先行曲と後続曲との両方が再生されているときに不協和音が発生してしまうおそれがある。このため、ＤＪが事前に楽曲を聴き、不協和音が発生せずミキシングの相性が良い箇所を予め決定しておく必要があり、この事前準備が煩わしい。【０００５】
本発明は、良好な楽曲のミキシングを支援可能な表示制御装置、表示制御方法および表示制御プログラムを提供することを１つの目的とする。
【課題を解決するための手段】
【０００６】
請求項１に記載の発明は、複数の楽曲の噪音成分を検出する噪音検出部と、前記噪音検出部の検出結果を表示部に表示させる表示制御部と、を備え、前記表示制御部は、前記検出結果を前記複数の楽曲のそれぞれの時間情報と関連付けて表示させる結果表示部と、前記複数の楽曲のうち１の楽曲の所定区間の選択操作を検出する選択検出部と、前記選択された区間における前記噪音成分の検出結果に応じ、前記１の楽曲以外の前記検出結果の表示状態を変更する表示変更部と、を備えていることを特徴とする表示制御装置である。【０００７】
請求項６に記載の発明は、表示制御装置が、楽曲の音成分に関する情報を表示部に表示させる表示制御方法であって、前記表示制御装置が、複数の楽曲の噪音成分を検出する噪音検出ステップと、前記噪音検出ステップの検出結果を前記複数の楽曲のそれぞれの時間情報と関連付けて前記表示部に表示させる結果表示ステップと、前記複数の楽曲のうち１の楽曲の所定区間の選択操作を検出する選択検出ステップと、前記選択された区間における前記噪音成分の検出結果に応じて、前記１の楽曲以外の前記検出結果の表示状態を変更する表示変更ステップと、を実行することを特徴とする表示制御方法である。【０００８】
請求項７に記載の発明は、請求項６に記載の表示制御方法を表示制御装置に実行させることを特徴とする表示制御プログラムである。
【図面の簡単な説明】
【０００９】
【図１】本発明の一実施形態に係る楽曲再生装置の概略構成を示すブロック図。
【図２】相性度設定テーブルを示す図。
【図３Ａ】噪音検出結果の表示画面を表す模式図であり、先行曲の所定区間の選択操作が行われる前の状態を示す。
【図３Ｂ】噪音検出結果の表示画面を表す模式図であり、先行曲の所定区間の選択操作が行われた後の状態を示す。
【図４】楽曲再生装置が実施する楽曲解析処理を示すフローチャート。
【図５】楽曲解析処理を示すフローチャートであり、図４に続く処理を示す。
【図６】調波構造成分の検出処理の説明図。
【図７】調波構造成分の同音高の繰り返し成分の検出処理の説明図。
【図８】楽曲再生装置が実施する楽曲情報表示処理を示すフローチャート。
【図９Ａ】本発明の変形例に係る噪音検出結果の表示画面を表す模式図であり、先行曲の所定区間の選択操作が行われる前の状態を示す。
【図９Ｂ】図９Ａに示す状態で先行曲の所定区間の選択操作が行われた後の状態を示す。
【図１０】図９Ａに示す状態で先行曲の所定区間の選択操作が行われた後の状態を示す。
【発明を実施するための形態】
【００１０】
本発明の一実施形態について、図面を参照して説明する。
［楽曲再生装置の構成］
まず、図１、図２、図３Ａおよび図３Ｂに基づいて、本発明の一実施形態に係る楽曲再生装置の構成について説明する。
図１に示すように、楽曲再生装置１は、クロスフェード等のミキシングや、スクラッチ操作（ユーザが楽曲の再生方向を前後にずらして特殊な音を出す操作）等のＤＪパフォーマンスを行うためのシステムである。
【００１１】
ここで、噪音と噪音とをクロスフェードする場合、不協和音が発生し難いためクロスフェードの相性が良いことが知られている。また、楽音と楽音とをクロスフェードする場合、不協和音が発生し易いためクロスフェードの相性が悪いことが知られている。なお、楽音とは、基音および倍音で構成された調波構造を有し、音の高さが感じられる音である。噪音とは、楽音以外の音、すなわち調波構造を有さない音であり、音程が感じられない音である。楽音としては、ボーカル、ピアノ、ギター、ベースの音が例示できる。噪音としては、ドラム、パーカッション、スクラッチの音が例示できる。
【００１２】
楽曲再生装置１は、上述の不協和音が発生しない、あるいは不協和音が目立たないような（ユーザが違和感を覚えない程度の不協和音が発生しているような）、良好な楽曲のクロスフェードを支援する。楽曲再生装置１は、第１記憶部２と、第２記憶部３と、操作部４と、表示部５と、音声処理装置６と、表示制御装置７とを備えている。
【００１３】
第１記憶部２は、楽曲データ２１等を記憶する。楽曲データ２１は、音声処理装置６および表示制御装置７と通信可能な外部機器または外部サーバー内に記憶されていてもよい。
第２記憶部３は、表示制御プログラムや、図２に示すような相性度設定テーブル等の表示制御装置７で用いる各種データを記憶する。
操作部４は、図示しないキーボードやマウスやタッチパネル等により構成されている。
表示部５は、液晶ディスプレイ等により構成されている。
音声処理装置６は、図示しないジョグダイヤルやピッチコントローラ等の操作に基づき、第１記憶部２に記憶された楽曲データ２１に対し、クロスフェード処理等の信号処理を行い、処理済みの音声信号を音声出力部８へ出力する。
【００１４】
表示制御装置７は、噪音検出部７１と、表示制御部７２と、第１メモリ７３と、第２メモリ７４とを備えている。噪音検出部７１および表示制御部７２は、第２記憶部３に記憶された表示制御プログラムおよびデータをＣＰＵ（Central Processing Unit）が処理することにより構成されている。
【００１５】
噪音検出部７１は、複数の楽曲にそれぞれ含まれる噪音成分および楽音成分を検出する。噪音検出部７１は、区間分割部７１１と、成分検出部７１２と、比率算出部７１３と、区間属性判定部７１４とを備えている。
【００１６】
区間分割部７１１は、操作部４の操作に基づいて、第１記憶部２から楽曲データ２１を取得する。区間分割部７１１は、楽曲データ２１を所定単位で分割して、区間データを取り込む。本実施形態では、楽曲データ２１を小節単位で分割する構成を例示するが、例えば、拍単位で分割してもよいし、楽曲の展開を事前に分析し、展開単位で分割してもよい。
成分検出部７１２は、区間分割部７１１で取り込まれた区間データに基づいて、楽曲の各区間に含まれる噪音成分を検出する。
比率算出部７１３は、成分検出部７１２での検出結果に基づいて、各区間に噪音成分が含まれる比率を算出し、算出結果を第１メモリ７３に保存する。
区間属性判定部７１４は、比率算出部７１３での算出結果に基づいて、各区間が噪音区間であるか、楽音区間であるかを判定し、判定結果を第２メモリ７４に保存する。
【００１７】
表示制御部７２は、噪音検出部７１の検出結果を表示部５に表示させる。表示制御部７２は、結果表示部７２１と、選択検出部７２２と、表示変更部７２３とを備えている。
【００１８】
結果表示部７２１は、噪音検出部７１の検出結果を先行曲および後続曲の時間情報と関連付けて、表示部５に表示させる。具体的には、結果表示部７２１は、図３Ａに示すように、先行曲に関する先行曲情報５０と、後続曲に関する後続曲情報５５とを表示部５に表示させる。
先行曲情報５０は、先行曲の波形５０１と、先行曲の音成分情報５０２とを備えている。音成分情報５０２は、複数の区間バー５０３から構成されており、図３Ａにおける左側の区間バー５０３に対応する区間の後に右側の区間が再生されることを表している。結果表示部７２１は、区間バー５０３の色を噪音検出部７１での検出結果に応じて設定する。後続曲情報５５は、先行曲情報５０と同様の構成を有し、波形５５１と、複数の区間バー５５３から構成された音成分情報５５２とを備えている。
【００１９】
選択検出部７２２は、操作部４による先行曲の時間情報における任意の箇所の選択操作を検出する。選択検出部７２２は、図３Ａに二点鎖線で示すように、先行曲情報５０の所定の区間バー５０３上にカーソルＣＲが表示された状態で、選択決定操作がなされると、当該区間バー５０３の区間が選択されたことを検出する。
【００２０】
表示変更部７２３は、選択された区間における噪音成分の検出結果に応じて、後続曲の検出結果の表示状態を変更する。表示変更部７２３は、第２記憶部３に記憶された相性度設定テーブルと、第１メモリ７３および第２メモリ７４に保存されたデータとに基づいて、選択区間と後続曲の各区間との相性度を設定する。表示変更部７２３は、図３Ｂに示すように、相性度を表す相性情報５５４を各区間に対応する区間バー５５３の上方に表示させる。表示変更部７２３は、噪音成分の比率を表す噪音比率情報５５５を区間バー５５３の下方に表示させる。
なお、相性情報５５４および噪音比率情報５５５の表示位置は、上述した位置に限らず、各区間に対応する情報であることが分かる位置であれば、他の位置であってもよい。
【００２１】
［楽曲再生装置の作用］
次に、楽曲再生装置１の作用として、楽曲解析処理および楽曲情報表示処理について説明する。
【００２２】
まず、図４〜図７に基づいて、楽曲解析処理について説明する。
図４に示すように、表示制御装置７の区間分割部７１１は、ユーザによる操作部４の操作に基づいて、所定の楽曲に対する楽曲解析処理の開始操作を検出すると、この楽曲の楽曲データ２１を第１記憶部２から取得する（ステップＳ１）。この後、区間分割部７１１は、区間番号Ｍを１に設定し（ステップＳ２）、Ｍ番目の１小節分の区間データを取り込む（ステップＳ３）。
【００２３】
次に、成分検出部７１２は、区間データを解析し、図６に示すようなパワースペクトラムを計測する（ステップＳ４）。パワースペクトラムは、成分検出部７１２が所定時間毎（例えば、０．１秒毎）の各周波数の強度を求め、この求めた強度を周波数毎に平均化した結果である。また、パワースペクトラムは、１２の階名（ド、レ♭、レ、ミ♭、ミ、ファ、ソ♭、ソ、ラ♭、ラ、シ♭、シ)のそれぞれについて４オクターブ分の強度を計測した結果である。また、パワースペクトラムは、横軸方向に連続して並ぶ複数本のパワースペクトラム毎に、１つ階名の音を表している。すなわち、１つの階名の音に対応する複数本のパワースペクトラムのうち、左端のパワースペクトラムが基音を表し、例えば、１つの階名に対応する音が４本のパワースペクトラムで構成される場合、左から２，３，４番目のパワースペクトラムが基音の１，２，４オクターブ上の音（２，４，８倍音）を表している。
【００２４】
この後、図４に示すように、比率算出部７１３は、成分検出部７１２で計測された全パワースペクトラムを合算し、音成分全体量（Ｐｓａ）を算出する（ステップＳ５）。
そして、成分検出部７１２は、パワースペクトラムから調波構造成分（Ｐｇｒ）、すなわち楽音成分を検出する（ステップＳ６）。具体的には、成分検出部７１２は、１つの階名の音を構成する４本のパワースペクトラムのうち、２本以上のパワースペクトラムが楽音認定閾値Ｌｍ以上である場合、すなわち２つ以上のオクターブの音で構成されている場合、当該階名の音成分が調波構造成分であると判定する。一方、成分検出部７１２は、楽音認定閾値Ｌｍ以上のパワースペクトラムが１本または０本である場合、当該階名の音成分が調波構造成分でないと判断する。例えば、図６に示すようなパワースペクトラムの場合、成分検出部７１２は、「ド」、「ミ♭」、「ファ」の音成分は、それぞれ２本のパワースペクトラムが楽音認定閾値Ｌｍ以上のため、調波構造成分であると判断し、それ以外の音成分は、調波構造成分でないと判断する。
【００２５】
ここで、上述のように、楽音同士をクロスフェードすると不協和音が発生し易いことから、この組み合わせのクロスフェードの相性が良いとユーザに提示することは好ましくない。しかし、楽音であるが、同じ音程が繰り返されるラップ（歌唱法の一つであり、小節の終わり等で韻を踏みながら、あまりメロディを付けずに、リズミカルにしゃべるように歌う方法）等は、同じ音程が繰り返されない楽音と比べて、他の楽音とクロスフェードしても不協和音が発生し難い。そこで、本実施形態では、このような同じ音程が繰り返されるラップ等の楽音を噪音と見なし、他の楽音とクロスフェードしても不協和音が発生し難い音としてユーザに提示するために、以下のステップＳ７，Ｓ８の処理を行う。
【００２６】
図４に示すように、成分検出部７１２は、ステップＳ６で検出した調波構造成分における同音高の繰り返し成分（Ｐｇｒｅｘ）を検出する（ステップＳ７）。具体的には、成分検出部７１２は、ステップＳ６で検出した調波構造成分と同じ成分が、当該調波構造成分を検出した区間を含む複数の区間（例えば、４個以上の区間）で連続して検出された場合、当該調波構造成分が繰り返し成分であると判断する。例えば、図７に示すように、連続する４区間（Ｍ−３，Ｍ−２，Ｍ−１，Ｍ番目の区間）のパワースペクトラムが検出された場合、「ド」、「ミ♭」、「ファ」の調波構造成分が当該４区間の全てに含まれているため、当該調波構造成分が同音高の繰り返し成分であると判断する。
このステップＳ７の処理により、噪音成分と見なすことができる楽音成分が検出される。
【００２７】
この後、図４に示すように、比率算出部７１３は、調波構造成分（Ｐｇｒ）から同音高の繰り返し成分（Ｐｇｒｅｘ）を差し引く。そして、比率算出部７１３は、この差し引き後の調波構造成分を構成するパワースペクトラムを合算し、楽音成分量（Ｐｓｓ）を算出する（ステップＳ８）。例えば、調波構造成分が４個（スペクトラムが１６本）あり、そのうち３個（１２本のスペクトラム）が繰り返し成分の場合、比率算出部７１３は、繰り返し成分でない１個の調波構造成分（４本のスペクトラム）について、パワースペクトラムの合算処理を行う。
このステップＳ８の処理により、成分構造の観点から楽音成分と見なされるパワースペクトルのうち、噪音成分と見なすことができる楽音成分を除いた楽音成分量が算出される。
【００２８】
次に、図５に示すように、比率算出部７１３は、以下の式（１）に基づき噪音成分比率（Ｒｓ）の算出処理を行い（ステップＳ９）、音成分全体量および噪音成分比率を楽曲および区間番号Ｍと関連付けて、第１メモリ７３に保存する（ステップＳ１０）。
Ｒｓ（％）＝（１−楽音成分量／音成分全体量）×１００…（１）
この後、区間属性判定部７１４は、噪音成分比率が閾値としての噪音認定閾値（例えば、５１％）以上か否かを判断する（ステップＳ１１）。そして、区間属性判定部７１４は、ステップＳ１１の条件を満たすと判断した場合、Ｍ番目の区間を噪音区間として識別し、噪音区間フラグを楽曲および区間番号Ｍと関連付けて、第２メモリ７４に保存する（ステップＳ１２）。一方、区間属性判定部７１４は、ステップＳ１１の条件を満たさないと判断した場合、楽音区間を意味する楽音区間フラグを楽曲および区間番号Ｍと関連付けて、第２メモリ７４に保存する（ステップＳ１３）。
【００２９】
区間属性判定部７１４がステップＳ１２またはステップＳ１３の処理を行った後、区間分割部７１１は、区間番号Ｍに１を加算する（ステップＳ１４）。そして、区間属性判定部７１４は、楽曲の最終区間の解析が終了したか否かを判断し（ステップＳ１５）、終了していない場合、ステップＳ３の処理を行い、終了した場合と判断した場合、楽曲解析処理を終了する。
【００３０】
なお、上述のように、ステップＳ７〜Ｓ９の処理により、同じ調波構造成分が４区間で連続して検出された場合、最新区間の調波構造成分を噪音成分と見なして噪音成分比率を算出する。しかし、上記最新区間より前の３区間の調波構造成分については、噪音成分と見なすことができるにもかかわらず、当該３区間のそれぞれに対する処理において、同じ調波構造成分が４区間で連続して検出されておらず、噪音成分と見なされずに噪音成分比率が算出されている場合がある。この場合、上記３区間における調波構造成分を噪音成分と見なして噪音成分比率を再算出し、第１メモリ７３内のデータを更新するとともに、噪音成分比率の再算出結果に基づいて、第２メモリ７４内の各区間フラグを更新してもよい。
【００３１】
次に、図３Ａ、図３Ｂおよび図８に基づいて、楽曲情報表示処理について説明する。
楽曲情報表示処理は、複数の楽曲に対する楽曲解析処理後に行われる。
まず、ユーザは、操作部４を操作して、クロスフェードする先行曲と後続曲を選択する。図８に示すように、表示制御装置７の結果表示部７２１は、先行曲および後続曲の選択操作を検出すると（ステップＳ２１，Ｓ２２）、先行曲および後続曲の楽曲データ２１を第１記憶部２から取得する（ステップＳ２３）。
本実施形態では、先行曲と後続曲とがそれぞれ１曲ずつ選択された場合を説明するが、少なくとも一方の曲が２曲以上選択された場合も、同様の処理が行われる。
【００３２】
また、結果表示部７２１は、先行曲および後続曲の各区間の音成分全体量、噪音成分比率、および各区間フラグ（噪音区間フラグまたは楽音区間フラグ）を、第１メモリ７３、第２メモリ７４からそれぞれ取得する（ステップＳ２４）。この後、結果表示部７２１は、先行曲情報５０および後続曲情報５５を表示部５に表示させる（ステップＳ２５）。このとき、結果表示部７２１は、楽曲の全区間の先行曲情報５０および後続曲情報５５を一度に表示させてもよいし、一部の区間について表示させ、操作部４の操作に基づいて残りの区間の表示に更新するようにしてもよい。
【００３３】
結果表示部７２１は、楽曲データに基づいて、波形５０１，５５１をそれぞれ表示させる。また、結果表示部７２１は、音成分全体量および各区間フラグに基づいて、音成分情報５０２，５５２を表示させる。具体的には、結果表示部７２１は、以下の表１に基づいて、先行曲を構成する各区間の区間バー５０３の色を設定し、区間バー５０３を各区間の再生順に並べた音成分情報５０２を波形５０１の下側に表示させる。また、結果表示部７２１は、後続曲についても区間バー５５３の色を設定し、音成分情報５５２を波形５５１の下側に表示させる。
ユーザは、表１に基づき色が設定された区間バー５０３，５５３を見ることで、各区間の属性（噪音区間か否か）と、区間全体の音の強度との両方を認識することができる。
【００３４】
【表１】
2016208002.tif 000003
【００３５】
以上の処理により、図３Ａに示すような先行曲情報５０および後続曲情報５５が表示部５に表示されると、ユーザは、操作部４の操作によりカーソルＣＲを移動させて、先行曲の所定区間をクロスフェード候補の区間として選択する。
選択検出部７２２が先行曲の所定区間の選択操作を検出すると（ステップＳ２６）、表示変更部７２３は、図２に示す相性度設定テーブルに基づいて、当該選択区間と後続曲の各区間との相性度を設定する（ステップＳ２７）。このとき、表示変更部７２３は、選択区間および後続曲の各区間の噪音成分比率を、例えば四捨五入して１％単位の値にしてから、相性度設定テーブルを参照する。例えば、表示変更部７２３は、図３Ｂに示す選択区間の噪音成分比率が２０％の場合、噪音成分比率が３０％、４０％、７０％、９０％の区間に対し、相性度を３５点、４０点、５５点、１００点にそれぞれ設定する。
【００３６】
なお、相性度設定テーブルは、先行曲および後続曲の両方が噪音区間（Ｒｓ≧噪音認定閾値（５１％））の場合、相性度が良いことを表す点数（７０点以上）が設定され、両方が楽音区間（Ｒｓ＜噪音認定閾値）の場合、相性度が悪いことを表す点数（７０点未満）が設定されるように構成されている。また、相性度設定テーブルは、先行曲および後続曲のうち一方が噪音区間であり、他方が楽音区間の場合、相性度が良いことを表す点数が設定されるように構成されている。さらに、先行曲の選択区間に対する後続曲の各区間の相性度は、後続曲の各区間の噪音成分比率が高いほど点数が大きくなるように設定されている。また、相性度は、点数が大きいほど、不協和音が発生し難く、相性が良いことを表す。
【００３７】
そして、表示変更部７２３は、図３Ｂに示すように、後続曲の噪音比率情報５５５と相性情報５５４とを文字で表示部５に表示させ（ステップＳ２８，Ｓ２９）、楽曲情報表示処理を終了する。
その後、ユーザが表示部５の表示に基づきクロスフェードする区間の組み合わせを設定すると、音声処理装置６は、この組み合わせに基づく処理を行う。例えば、音声処理装置６は、先行曲の再生を開始した後、先行曲の選択区間と後続曲との選択区間とのクロスフェードを行うことで、先行曲の再生を終了するとともに後続曲の再生を開始する。
【００３８】
なお、このクロスフェードの際、先行曲のフェードアウトや後続曲のフェードインあるいは音量調整は、ユーザによるジョグダイヤル等の操作に基づき行われてもよいし、ユーザの設定に基づき音声処理装置６が自動的に行ってもよい。
また、ユーザが操作部４を用いて、先行曲のクロスフェードする区間の設定操作を行った場合、音声処理装置６は、この設定操作を検出して、当該区間をクロスフェードの区間として設定するとともに、後続曲の各区間のうち、先行曲の設定区間とクロスフェードの相性が良い区間を、クロスフェードの区間として設定可能にし、相性が悪い区間を設定不可能にするようにしてもよい。例えば、先行曲の設定区間が楽曲区間の場合、音声処理装置６は、第２メモリ７４の区間フラグに基づいて、後続曲の噪音区間をクロスフェードの区間として設定可能にするとともに、楽音区間を設定不可能にしてもよい。同様に、先行曲の設定区間が噪音区間の場合、音声処理装置６は、後続曲の全区間をクロスフェードの区間として設定可能にしてもよい。
【００３９】
［実施形態の効果］
上述したように、表示制御装置７は、複数の楽曲の噪音成分を検出し、この検出結果を複数の楽曲のそれぞれの時間情報と関連付けて表示部５に表示させる。そして、表示制御装置７は、複数の楽曲のうち１の楽曲（先行曲）における所定区間の選択操作を検出すると、この所定区間の噪音成分の検出結果に応じて、他の楽曲（後続曲）の検出結果の表示状態を変更する。
このため、ユーザは、後続曲に関する検出結果の表示状態に基づいて、先行曲の選択区間とクロスフェード（ミキシング）の相性が良い区間を容易に認識することができる。したがって、良好な楽曲のクロスフェードを支援可能な表示制御装置７を提供することができる。
特に、本実施形態では、区間バー５０３，５５３を用いて楽曲の時間情報を表しているため、例えば「区間１」等の文字のみを用いて時間情報を表す構成と比べて、ユーザは、各時間情報における噪音の検出結果を、直感的に把握することができる。
【００４０】
また、表示制御装置７は、後続曲の検出結果の表示状態を変更する処理として、先行曲の選択区間とのクロスフェードの相性を表す相性情報５５４を表示させる。
このため、ユーザは、相性情報５５４を見て、クロスフェードの相性を容易に認識することができる。
特に、本実施形態では、相性情報５５４を文字で表示するため、相性情報５５４を文字以外の色等で表示する構成と比べて、ユーザは、クロスフェードの相性をさらに容易に認識することができる。
また、本実施形態では、先行曲の選択区間が楽音区間の場合、後続曲の噪音区間と選択区間とのクロスフェードの相性が良いことを表す相性情報５５４を表示させ、選択区間が噪音区間の場合、後続曲の全区間と選択区間とのクロスフェードの相性が良いことを表す相性情報５５４を表示させる。このため、ユーザは、相性が良い区間を表す相性情報５５４を見ることで、クロスフェードの相性をさらに容易に認識することができる。
【００４１】
また、表示制御装置７は、音成分情報５５２と重ならない位置に相性情報５５４を表示させる。
このため、例えば区間バー５５３の中に相性情報５５４を表示させる等、音成分情報５５２と相性情報５５４とを重ねて表示させる構成と比べて、ユーザは、クロスフェードの相性をさらに容易に認識することができる。
【００４２】
［変形例］
なお、本発明は上記実施形態にのみ限定されるものではなく、本発明の要旨を逸脱しない範囲内において種々の改良ならびに設計の変更などが可能である。
【００４３】
例えば、上記実施形態では、結果表示部７２１は、各区間の属性と音の強度との両方を表す音成分情報５０２，５５２を表示させたが、図９Ａに示すように、各区間の属性と音の強度とを別々に表す音成分情報５０２Ａ，５５２Ａを表示部５に表示させてもよい。
音成分情報５０２Ａは、複数の区間バー５０６Ａから構成された噪音比率情報５０５Ａと、複数の区間バー５０８Ａから構成された音強度情報５０７Ａとを備えている。音成分情報５５２Ａは、音成分情報５０２Ａと同様の構成を有し、それぞれ複数の区間バー５５６Ａ，区間バー５５８Ａから構成された噪音比率情報５５５Ａおよび音強度情報５５７Ａを備えている。
噪音比率情報５０５Ａ，５５５Ａは、区間の噪音成分比率を表す。噪音比率情報５０５Ａ，５５５Ａの区間バー５０６Ａ，５５６Ａは、噪音成分比率が２５％未満であれば青色、２５％以上５０％未満であれば水色、５０％以上７５％未満であれば橙色、７５％以上であれば赤色で表示される。
音強度情報５０７Ａ，５５７Ａは、区間の音の強度を表す。音強度情報５０７Ａ，５５７Ａの区間バー５０８Ａ，５５８Ａは、音成分全体量が第１強度閾値未満であれば緑色、第１強度閾値以上、第２強度閾値未満であれば薄緑色、第２強度閾値以上、第３強度閾値未満であれば黄緑色、第３強度閾値以上であれば黄色で表示される。なお、音強度情報５０７Ａ，５５７Ａを表示させなくてもよい。
【００４４】
そして、図９Ａに示す状態において、二点鎖線で示すカーソルＣＲによる所定区間の選択操作が行われると、表示変更部７２３は、上記実施形態と同様に、当該所定区間と後続曲の各区間との相性度を設定し、図９Ｂに示すように、相性情報５５４を表示させる。
ここで、楽曲区間にクロスフェードする区間として、噪音区間を選択すると不協和音が発生し難いが、この噪音区間の噪音比率が高いほど、不協和音が発生し難いと考えられる。
図９Ａに示すように、噪音成分比率のみを表す噪音比率情報５０５Ａ，５５５Ａを表示部５に表示させることで、ユーザは、不協和音がより発生し難い区間をクロスフェードする区間として選択することができる。また、音の強度のみを表す音強度情報５０７Ａ，５５７Ａを噪音比率情報５０５Ａ，５５５Ａと異なる位置に表示させるため、ユーザは、各区間の噪音比率と音の強度とを独立的に認識することができる。
【００４５】
図９Ａに示す状態から先行曲の所定区間の選択操作が行われた際に、表示変更部７２３は、図１０に示すように、音成分情報５５２Ａの代わりに相性情報５５４Ｂを表示させてもよい。相性情報５５４Ｂは、複数の区間バー５５９Ｂから構成されている。区間バー５５９Ｂは、相性度が０点、１０点であれば黒色、２０点以上５０点以下であれば灰色、６０点以上８０点以下でれば薄い灰色、９０点、１００点であれば白色で表示される。
【００４６】
図３Ａ，図９Ａ，図１０に示す区間バー５０３，５５３，５０６Ａ，５５６Ａ，５５９Ｂの色は、他の色であってもよいし、色を設定するための閾値は、上述した値に限られず、他の値であってもよい。
結果表示部７２１、表示変更部７２３は、各区間に対応する波形５０１，５５１自体の色や、波形５０１，５５１を囲む枠の色、あるいは当該枠内の色を所定の色に設定することで、噪音比率（検出結果）や音の強度あるいは相性度を表してもよい。
結果表示部７２１、表示変更部７２３は、区間バー５０３，５５３，５０６Ａ，５５６Ａ，５５９Ｂや相性情報５５４，５５４Ｂの大きさや点滅状態で、噪音比率（検出結果）や音の強度あるいは相性度を表現してもよい。
結果表示部７２１、表示変更部７２３は、噪音比率や音の強度あるいは相性度を、丸や三角等の図形で表してもよいし、「（噪音成分比率が）高い」、「強い音」、「（相性が）良い」等の文字で表してもよい。
【００４７】
結果表示部７２１、表示変更部７２３は、楽曲の時間情報を区間バー５０３，５５３，５０６Ａ，５５６Ａ，５５９Ｂで表したが、例えば「区間１」や「再生時間１分０秒から１分５秒の区間」等の文字で表してもよい。この場合、時間情報を表す文字の上下あるいは左右に、噪音比率や音の強度あるいは相性度を表示させてもよいし、時間情報を表す文字の色や大きさ等の設定により、噪音比率や音の強度あるいは相性度を表してもよい。
結果表示部７２１、表示変更部７２３は、先行曲および後続曲のうち少なくとも一方が２曲以上選択された場合、この選択された２曲以上の音成分情報や相性情報を一度に表示してもよい。
結果表示部７２１、表示変更部７２３は、複数の表示部を用い、一方に先行曲の情報を表示させ、他方に後続曲の情報を表示させてもよい。
【００４８】
表示変更部７２３は、図３Ａの区間バー５５３の中に相性度を表す文字を表示させる等、楽曲の音成分情報と相性情報とを重ねて表示させてもよい。
表示変更部７２３は、先行曲の選択区間が楽曲区間の場合、後続曲の噪音区間に関する相性情報５５４のみを表示させるとともに、楽音区間に関する相性情報５５４を表示させなくてもよい。すなわち、表示変更部７２３は、選択区間とクロスフェードの相性が良い区間のみについて、相性情報５５４を表示させてもよい。
表示変更部７２３は、先行曲の選択区間が楽曲区間の場合、後続曲の楽音区間に関する相性情報５５４のみを表示させるとともに、噪音区間に関する相性情報５５４を表示させず、選択区間が噪音区間の場合、後続曲の全区間に関する相性情報５５４を表示させなくてもよい。すなわち、表示変更部７２３は、選択区間とクロスフェードの相性が悪い区間のみについて、相性情報５５４を表示させてもよい。
表示変更部７２３は、後続曲の所定区間が選択された際に、先行曲の相性情報を表示してもよい。
【００４９】
噪音検出部７１に区間分割部７１１を設けずに、成分検出部７１２が第１記憶部２から楽曲データ２１を連続的に取得して、所定時間毎に、それまでに取得した楽曲データのうち未解析のデータに対し、ステップＳ４，Ｓ６，Ｓ７の処理を行ってもよい。
【００５０】
比率算出部７１３は、調波構造成分を構成するパワースペクトラムの本数に基づいて、噪音成分比率（Ｒｓ）を算出してもよい。
例えば、図６に示すようなパワースペクトラムが計測され、調波構造成分のパワースペクトラムが「ド」、「ミ♭」、「ファ」の６本であり、かつ、パワースペクトラムの合計本数が４８本の場合、比率算出部７１３は、噪音成分比率（Ｒｓ）を８８％（＝（４８−６）／４８×１００）と算出してもよい。
【００５１】
本発明の表示制御装置を、特許文献１に記載のような音楽プレーヤ等、ＤＪ機器以外の製品に適用してもよい。
【符号の説明】
【００５２】
７…表示制御装置、７１…噪音検出部、７２…表示制御部、５５２…音成分情報、５５４，５５４Ｂ…相性情報、７１２…成分検出部、７１３…比率算出部、７２１…結果表示部、７２２…選択検出部、７２３…表示変更部。
【図１】
2016208002.tif 000004
【図２】
2016208002.tif 000005
【図３Ａ】
2016208002.tif 000006
【図３Ｂ】
2016208002.tif 000007
【図４】
2016208002.tif 000008
【図５】
2016208002.tif 000009
【図６】
2016208002.tif 000010
【図７】
2016208002.tif 000011
【図８】
2016208002.tif 000012
【図９Ａ】
2016208002.tif 000013
【図９Ｂ】
2016208002.tif 000014
【図１０】
2016208002.tif 000015
【国際調査報告】
2016208002.tif 000016
2016208002.tif 000017